(57)【特許請求の範囲】
【請求項１】
中空円筒状に形成されると共にその側面に上側スリットと下側スリットを設けた旗竿本体と、
当該旗竿本体の内部空間に、その軸方向に移動可能に内挿されたシャフト部材と、
当該シャフト部材に連結されて前記上側スリットから前記旗竿本体の外側に突出しているフック部材と、
当該前記下側スリットを介して前記シャフト部材の下端側に連結されて、旗竿本体の外周面に沿って昇降移動可能なプレート部材とからなることを特徴とする旗竿。
【請求項２】
１又は２以上のホールカップを備えたゴルフ施設であって、
前記ホールカップには旗竿が設けられていると共に、当該旗竿には請求項１に記載の旗竿が使用されていることを特徴とするゴルフ施設。
【請求項３】
１又は２以上のホールカップを備えたゴルフ施設においてカップインしたボールを取り出す動作を含むゴルフプレー方法であって、
前記ホールカップに設けられた旗竿に装着された請求項１に記載の旗竿におけるフック部材をゴルフクラブで持ち上げ、当該ボール持ち上げ具におけるプレート部材を上昇させることでホールカップ内のボールを取り出すことを特徴とするゴルフのプレー方法。
【発明の詳細な説明】
【技術分野】
【０００１】
本発明はホールカップからゴルフボールを取り出すためのボール持ち上げ具に関する。
【背景技術】
【０００２】
ゴルフ競技については２０１９年にルールが改正され、旗竿（「ピン」とも言う）を抜かずにパターが行えるようになった。しかしカップインしたボールを、旗竿を抜かずに拾いあげるには、旗竿が邪魔になる。無理にカップ内のボールを拾い上げると、手やボールがカップ周りのホールエッジ（芝によって形作られたホールの開口縁）に触れてしまい、ホールエッジの形が次第に削られてしまう。その結果、その後のプレーに大きな影響を及ぼしかねない。
【０００３】
またパッティンググリーン上でホールカップに入ったボールを取り出す際には、プレーヤーが腰をかがめるか、しゃがみ込んで、ホールカップ内に手を入れてボールを取り出さなければならなかった。
【０００４】
そこで従前においては、カップインしたボールの取り出しを補助する為の器具が幾つか提案されている。例えば特許文献１（実用新案登録第３２２３１４９号公報）では、カップインしたボールをホールカップから取り出す動作を迅速に行うことができるように、カップインしたボールを受け止めるボール受け部材と、ホールカップから立ち上げられたピンに上下動可能に装備されてボール受け部材をホールカップの底部への載置位置とホールカップの上方位置との間で上下動操作可能なシャフト部材としてのパイプ材とを有するホールカップ用補助具を提案している。
【０００５】
また特許文献２（特許第６６４７４９４号公報）では、ピンを立てたままでパットをした場合に、ホールのふちを傷めることなくホールカップの外側でボールを取り出し、プレー時間の短縮を図ることができるゴルフコース旗竿として、ホールカップの中央に抜き差し可能に配置される軸体と、軸体の軸に沿って移動可能に保持され、ホールカップにカップインするボールを受けて保持する受け皿と、受け皿を、カップインするボールを受ける第１の位置からホールカップの外側でボールを取り出す第２の位置に移動させる移動手段を備えたゴルフコース旗竿が提案されている。
【先行技術文献】
【特許文献】
【０００６】
【特許文献１】実用新案登録第３２２３１４９号公報
【特許文献２】特許第６６４７４９４号公報
【発明の概要】
【発明が解決しようとする課題】
【０００７】
従前においてもカップインしたボールをホールカップから取り出すための器具や装置は提案されている。しかし前記特許文献１に開示されているホールカップ用補助具は、パイプ材を手で持って上下させなければならず、当該パイプ材は複数のプレーヤーが把持することから衛生上の問題が危惧された。また当該パイプ材を取り付ける旗竿（ピン）の下端にはホールカップへの取付部（ヘラール）が設けられることから、当該パイプ部材、ひいてはホールカップ用補助具の取付が困難になる事が危惧された。
【０００８】
また前記特許文献２に開示されているゴルフコース旗竿は、移動手段としてコイルばねや保持機構を使用している。しかし旗竿は野晒で設置されることから、腐食やゴミの付着による動作不良の可能性も危惧された。また、手で保持機構を操作しなければならない事から、やはり衛生上の問題が危惧されていた。
【０００９】
そこで本発明は、プレーヤーが手を触れなくともホールカップ内のボールを取り出すことができるようにして、（１）ゴルフプレー時におけるゴルフ施設の衛生上の問題を解消すること、（２）野晒で設置した場合であっても動作に支障が生じないこと及び、（３）パッティング時におけるカップインに支障を来さないようにすること、の少なくとも何れかの課題を解決するものである。
【課題を解決するための手段】
【００１０】
上記課題の少なくとも何れかを解決するべく本発明者が鋭意研究を行った結果、ゴルフクラブを使用してホールカップ内のボールを持ち上げる事により、複数の利用者が接触する共有部分に触れることなく、ボールを取り出せることを見出し、本発明を完成させたものである。
【００１１】
即ち本発明においては、前記課題の少なくとも何れかを解決する為に、ホールカップ内のボールを持ち上げる為のボール持ち上げ具であって、ホールカップ内に立設されている旗竿の軸方向に移動自在としたシャフト部材と、当該シャフト部材の下方に設けられ、当該シャフト部材の移動によってホールカップ内のボールを持ち上げるプレート部材とからなり、前記シャフト部材には、当該シャフト部材を旗竿の軸方向に持ち上げるフック部材を設けたボール持ち上げ具を提供する。
【００１２】
前記シャフト部材は、前記フック部材の持ち上げ動作によって前記プレート部材を引き上げる為に機能し得る部材を使用できる。当該シャフト部材は、前記旗竿を内挿する円筒部材である他、旗竿に沿って延伸する１又は２以上の棒部材又は軸部材であっても良い。更に前記旗竿が中空円筒部材で形成されている場合には、当該旗竿の内部空間を軸方向に移動する円筒部材又は軸部材であって良い。当該シャフト部材を前記旗竿の外側に設ける場合には、ホールカップへのボールの落下に支障を来さないように形成するのが望ましい。よって当該シャフト部材を、前記旗竿を内挿する筒状に形成した場合には、当該シャフト部材の外周には凹凸が存在せず、その外径は１８ｍｍ以下、特に１６ｍｍ以下の大きさに形成するのが望ましい。また当該シャフト部材は、ボールが当たった時に塑性変形しない程度の剛性を有するか、又は弾性変形可能な柔軟性を有することが望ましい。特に当該ボール持ち上げ具は野晒で設置されることから、少なくとも当該シャフト部材は耐候性を有する材料、例えばステンレスか、ＦＲＰのような繊維強化樹脂などの樹脂を用いて形成することが望ましい。
【００１３】
また当該シャフト部材を筒状に形成して、その内部に旗竿を内挿する場合には、当該シャフト部材は、周方向に２又は３以上に分割（即ち軸方向に縦割り）して、これを組み合わせて形成することが望ましい。当該シャフト部材を円筒状に形成する場合には、半円筒体を接合した円筒状に形成することが望ましい。
【００１４】
前記プレート部材はホールカップ内のボールを持ち上げることができる限りにおいて各種形状及び構造に形成できる。例えばホールカップ内に広がる円盤形状に形成する他、ホールカップ内に放射状に延伸する軸からなるフレーム形状に形成することができる。当該プレート部材は、均一な厚さに形成する他、外縁に向かって薄くなるように上面を傾斜させて形成することもできる。更に当該プレート部材は、ホールカップ内のボールを持ち上げることができる程度の剛性を有することが望ましい。また当該プレート部材は、ボールが落下した時の音を考慮すれば金属で形成するのが望ましい。また当該プレート部材は、ホールカップに落下したボールが弾むことが無い様にゴム等の使用は避けることが望ましい。
【００１５】
前記フック部材は、前記シャフト部材を持ち上げる為に機能し得る限りにおいて各種形状及び構造に形成できる。当該フック部材はゴルフクラブで引き上げることができる形状に形成することが望ましい。例えば当該フック部材は、筒体形状に形成したシャフト部材の上端側から水平方向に延伸する延伸部と、当該延伸部の先端側を下方に湾曲させた湾曲部とで形成できる。また当該フック部材として、前記シャフト部から上方に立ち上がると共に、その先端部に湾曲部を形成しても良い。また当該フック部材として、シャフト部材にゴルフクラブで操作可能な突起やリングなどを設けても良い。即ち当該フック部材はゴルフクラブで操作できる限りにおいて各種形状及び構造に形成することができる。また当該フック部材はゴルフクラブでの操作を前提とする場合には、地上高１０ｃｍ以上、１５０ｃｍ以下の高さ、特に地上高１０ｃｍ以上、５０ｃｍ以下の高さに形成するのが望ましい。そして当該フック部材は各種材料で形成しても良いが、望ましくはゴルフクラブを損傷させることが無い様な柔軟性を有する材料が表面に存在することが望ましい。
【００１６】
上記本発明に係るボール持ち上げ具において、前記シャフト部材は半円筒体を接合して構成される筒体であって、その中空部に前記旗竿を内挿して設けられ、当該各半円筒体の下端側には外向きフランジが形成されており、半円筒体の上端は前記フック部材を保持するリング体によって緊結されると共に、その下端は前記フランジにおいて、半円盤体を組み合わせてなる前記プレート部材によって一体化し、当該シャフト部材の外周には凹凸が存在せず、その外径は１８ｍｍ以下に形成することができる。
【００１７】
そして本発明では、前記ボール持ち上げ具を一体化した旗竿を提供する。即ちゴルフ施設に設けられる旗竿であって、前記本発明に係るボール持ち上げ具を設けた旗竿である。また当該旗竿は、中空円筒状に形成されると共にその側面に上側スリットと下側スリットを設けた旗竿本体と、当該旗竿本体の内部空間に、その軸方向に移動可能に内挿されたシャフト部材と、当該シャフト部材に連結されて前記上側スリットから前記旗竿本体の外側に突出しているフック部材と、当該前記下側スリットを介して前記シャフト部材の下端側に連結されて、旗竿本体の外周面に沿って昇降移動可能なプレート部材とからなる旗竿とすることもできる。
【００１８】
また本発明では、前記課題の少なくとも何れかを解決する為に、前記本発明のボール持ち上げ具を用いたゴルフ施設を提供する。即ち、１又は２以上のホールカップを備えたゴルフ施設であって、前記ホールカップには旗竿が設けられていると共に、当該旗竿には、前記本発明に係るボール持ち上げ具を設けたことを特徴とするゴルフ施設を提供する。かかるゴルフ施設は、ゴルフコースである他ゴルフ練習場であっても良く、更にゴルフパッティングの練習具であっても良い。
【００１９】
また本発明では、前記課題の少なくとも何れかを解決する為に、前記本発明に係るボール持ち上げ具を用いたゴルフのプレー方法を提供する。即ち、１又は２以上のホールカップを備えたゴルフ施設においてカップインしたボールを取り出す動作を含むゴルフプレー方法であって、前記ホールカップに設けられた旗竿に装着された本発明に係るボール持ち上げ具におけるフック部材をゴルフクラブで持ち上げ、当該ボール持ち上げ具におけるプレート部材を上昇させることでホールカップ内のボールを取り出すゴルフのプレー方法である。かかるゴルフプレー方法はトーナメントなどの公式戦の他、各種のゴルフプレーであって良く、更にはゴルフの練習におけるプレーであっても良い。
【発明の効果】
【００２０】
本発明のボール持ち上げ具は、ホールカップ内に立設されている旗竿の軸方向に移動自在としたシャフト部材と、当該シャフト部材の移動によってホールカップ内のボールを持ち上げるプレート部材とからなり、前記シャフト部材には、当該シャフト部材を旗竿の軸方向に持ち上げるフック部材を設けている。その結果、当該フック部材をゴルフクラブなどで操作して、シャフト部材を上下動させ、前記プレート部材によってホールカップ内のボールを取り出すことができる。よって、プレーヤーが手を触れなくともホールカップ内のボールを取り出すことができ、衛生上の問題を解消したボール持ち上げ具とすることができる。
【００２１】
そして前記ボール持ち上げ具はバネ等を使用していない事から野晒で設置しても動作に支障が生じない。特に前記シャフト部材をステンレスやＦＲＰのような繊維強化樹脂などの樹脂で形成した場合には耐候性も向上し、またパッティングによりゴルフボールが衝突した際の変形も阻止できる。
【００２２】
そして上記シャフト部材を円筒形状に形成して前記旗竿を内挿した場合には、旗竿の周方向に均等な厚さにすることができる為、全ての方向においてホールカップの内径とシャフト部材の外径との間の距離を均等にすることができる。またシャフト部材の周方向に凹凸が存在しないようにすることができる。その結果、パッティング時におけるカップインに支障を生じさせないボール持ち上げ具が実現する。更に当該シャフト部材の外径を１８ｍｍ以下、特に１６ｍｍ以下にする事により、当該ホールカップの内径とシャフト部材の外径との間の距離を十分に確保することができる。よってパッティング時におけるカップインに支障を生じさせないボール持ち上げ具が実現する。
【００２３】
そして前記フック部材を、筒体形状のシャフト部材の上端側から水平方向に延伸する延伸部と、当該延伸部の先端側を下方に湾曲させた湾曲部とで形成し、当該フック部材の延伸部を、地上高１０ｃｍ以上とする事により、当該フック部材がパッティング時におけるボールの挙動に影響を与えることが無くなり、パッティング時におけるカップインに支障を生じさせないボール持ち上げ具が実現する。
【図面の簡単な説明】
【００２４】
【図１】第１の実施の形態に係るボール持ち上げ具の使用状態を示す側面図
【図２】第１の実施の形態に係るボール持ち上げ具の分解斜視図
【図３】第２の実施の形態に係るボール持ち上げ具に使用するシャフト部材を示す分解斜視図
【図４】第２の実施の形態に係るボール持ち上げ具の（Ａ）フック部材の設置状態を示すＡ−Ａ矢視図、（Ｂ）部分省略側面図、（Ｃ）プレート部材の設置状態を示すＣ−Ｃ矢視図
【図５】第３の実施の形態に係るボール持ち上げ具の（Ａ）縦断面図、（Ｂ）正面図
【発明を実施するための形態】
【００２５】
以下、図面を参照しながら、本実施の形態にかかるボール持ち上げ具１０を具体的に説明する。図１は第１の実施の形態に係るボール持ち上げ具１０の使用状態を示す側面図である。図２は第１の実施の形態に係るボール持ち上げ具１０の分解斜視図である。
【００２６】
図１及び２を参照しながら、第１の実施の形態に係るボール持ち上げ具１０を説明する。この実施の形態に係るボール持ち上げ具１０は旗竿５を、その中空部に内挿するシャフト部材２０を用いて形成した実施の形態を示している。即ち、この実施の形態に係るボール持ち上げ具１０は、旗竿５の下端側に、当該旗竿５を内挿して配置された円筒状のシャフト部材２０と、このシャフト部材２０の下端側に設けられたプレート部材３０と、前記シャフト部材２０の上端側に設けられたフック部材４０とで形成されている。
【００２７】
シャフト部材２０は、旗竿５を内挿する中空部を備える筒体形状であって、当該旗竿５の軸方向に摺動自在（即ち移動自在）に形成されている。よって当該シャフト部材２０は、旗竿５の外径よりも僅かに大きい内径で形成しており、本実施の形態では内径１５ｍｍに形成している。また当該シャフト部材２０はホールカップ６内に存在する。よって当該シャフト部材２０は、ホールカップ６の内周面との間に十分な空間を確保できるように、その外径を１６ｍｍにしている。また当該シャフト部材２０はその軸方向長さを５００ｍｍとしている。その結果ホールカップ６の底面から立ち上がった状態においても、上端に設けられるフック部材４０がパッティング時におけるボールの挙動に影響を与えない。また、当該フック部材４０をゴルフクラブで操作しやすい高さに保持できる。但し、当該シャフト部材２０の内径、外径及び長さはホールカップ６の内径、使用するゴルフボールの外径、及び旗竿５の外径に応じて適宜変更することができ、例えばゴルフルールの変更に伴って適宜変更することができる。
【００２８】
そして上記プレート部材３０は、前記ホールカップ６の内部空間に収容される大きさの円盤形状であって、前記ホールカップ６との間にゴルフボールが落下しない程度の隙間を確保する大きさに形成される。当該プレート部材３０は、上面を外縁方向に向かって下がる様に傾斜させている。その結果、当該プレート部材３０で持ち上げたボールは、ホールカップ６の外であるグリーンエリアに転がり出ることができる。
【００２９】
当該プレート部材３０はシャフト部材２０の下端側に一体化されている為、当該シャフト部材２０に連動して上下動する。そして当該シャフト部はその上端側に設けたフック部材４０によって上方に持ち上げることができる。
【００３０】
当該フック部材４０は、シャフト部材２０の上端側を緊結するリング体４１と、当該リング体４１に設けられた板状張出部４２と、当該プレート部材３０に設けられたフック本体４３とで形成している。当該フック本体４３はシャフト部材２０の中心からの出幅が３０〜１００ｍｍ（本実施の形態では６６ｍｍ）となる長さに形成している。当該旗竿５はグリーン上に横倒しする場合も有る為である。ただしフック本体４３の出幅は適宜変更して良い。また当該フック部材４０はプレーヤーが使用するゴルフクラブで持ち上げる事を想定している為、当該ゴルフクラブに傷をつけることの無い様に、その表面は弾性を有する樹脂（シリコン樹脂等）で被覆するのが望ましい。当該フック部材４０をゴルフクラブで持ち上げることにより、引き上げの為の部材を別途準備する必要が無く、またプレーヤーの接触部分を大幅に削減できる。その結果、接触による感染などのリスクを大幅に軽減でき、衛生管理を徹底できる。以上から、望ましくは、当該フック部材４０はゴルフクラブで持ち上げるのに適した長さ及び形状に形成する。
【００３１】
図２は前記第１の実施の形態に係るボール持ち上げ具１０の構造を示す１つの実施の形態を示す分解斜視図である。このボール持ち上げ具１０は、特に旗竿５に対するシャフト部材２０の取付容易性を向上させている。即ち、シャフト部材２０は、対向配置された半円筒体２１を接合して筒体を構成するように形成している。その結果、旗竿５の外周面を挟み込んで、当該半円筒体２１を接合することで当該旗竿５に設置できる。よって旗竿５のヘラール７の存在に拘わらず、当該シャフト部材２０を取り付けることができる。
【００３２】
かかるシャフト部材２０の下端には、外向きフランジを備えた下側留め具２２が設けられている。当該下側留め具２２も縦に分割して半円形状に形成している。分割した半円形状の下側留め具２２の構成要素を組み合わせることで、前記シャフト部材２０を挟持できる。よって、当該下側留め具２２も前記旗竿５のヘラール７の存在に拘わらず、当該シャフト部材２０に設置可能である。なお、当該シャフト部材２０と下側留め具２２との一体化はビス、接着剤、溶着、嵌合などで行うことができる。
【００３３】
前記プレート部材３０は、半円形状のプレート部材構成要素（半円盤体）３１を正対させて一体化することで円盤形状となる。このプレート部材３０も分割して形成し、その中央孔にシャフト部材２０を挟み込んで一体化する。その結果、旗竿５のヘラール７の存在に拘わらず、当該シャフト部材２０に設置できる。当該プレート部材３０は、前記シャフト部材２０の下端側に設けられた下側留め具２２のフランジ部２３に重ね合わされて固定できる。下側留め具２２の接合部と、プレート部材構成要素（半円盤体）３１同士の接合部とを交差する向き（望ましくは直交する向き）で両者を一体化することにより、前記シャフト部材２０の下端側を一体化することができる。
【００３４】
そして前記シャフト部材２０の上端側には、フック部材４０を保持するリング体４１を設けている。当該リング体４１は半円筒体を接合して形成している。当該リング体４１の接合は、接着剤や溶接によって行う他、篏合構造に形成したり、或いはリング体４１に設けた板状張出部４２同士をビスやボルトで緊結することができる。かかるフック部材４０のリング体４１の接合部分は、前記シャフト部材２０を構成する半円筒体同士の接合部分と正対することが無い様に、両者をずらして（望ましくは９０°）組み合わせることが望ましい。
【００３５】
以上の構成により、当該ボール持ち上げ具１０は、旗竿５のヘラール７の存在に拘わらず、当該旗竿５に設置することができる。従って既存の旗竿５に対しても設置可能であって、更に設置後におけるメンテナンスなどの交換作業を簡易に行うことができる。
【００３６】
図３は第２の実施の形態に係るボール持ち上げ具１０に使用するシャフト部材２０を示す分解斜視図であり、図４は第２の実施の形態に係るボール持ち上げ具１０の（Ａ）フック部材４０の設置状態を示すＡ−Ａ矢視図、（Ｂ）部分省略側面図、（Ｃ）プレート部材３０の設置状態を示すＣ−Ｃ矢視図である。
【００３７】
特にこの実施の形態に係るボール持ち上げ具１０は、シャフト部材２０にフランジ状の突出部２５を設けている。かかる突出部２５は全周にわたって形成する他、一部に形成しても良い。そして半円筒体２１を接合することにより、フック部材４０を保持するリング体４１の設置個所、及びプレート部材３０の設置個所にはフランジ状の突出部２５を出現させている。即ち、フック部材４０を保持するリング体４１及びプレート部材３０は、それぞれ突出部２５同士の間に保持されている。その結果、これらの上下移動を阻止できると共に、シャフト部材２０を構成する半円筒体２１同士の上下方向のズレを阻止することができる。
【００３８】
特に本実施の形態において、フック部材４０は、シャフト部材２０の上端側を緊結するリング体４１と、当該リング体４１に設けられたブロック状張出部４４と、当該ブロック状張出部４４に設けた孔部に挿入固定されるフック本体４３とで形成している。当該フック部分は、水平方向に延伸する延伸部と当該延伸部の先端側を下方に湾曲させた湾曲部とで形成している。また前記リング体４１は半円筒体を対向させて一体化しており、半円筒体同士は略「Ω」字状に形成すると共に、対向させたフランジ部分４５同士をノッチロックなどの連結部材４６を用いて一体化している。かかる構成により、当該フック部材４０の設置容易性を向上させている。
【００３９】
図５は第３の実施の形態に係るボール持ち上げ具１０を示す（Ａ）縦断面図、（Ｂ）正面図である。特にこの実施の形態に係るボール持ち上げ具１０では、前記シャフト部材２０を旗竿５の内部空間に設置している。即ち、当該ボール持ち上げ具１０を設けた旗竿５として具体化することができる。
【００４０】
当該旗竿５は、中空円筒状に形成されると共にその側面に上側スリット２６と下側スリット２７を設けた旗竿本体５０と、当該旗竿本体５０の内部空間に、その軸方向に移動可能に内挿されたシャフト部材２０と、当該シャフト部材２０に連結されて前記上側スリット２６から前記旗竿本体５０の外側に突出しているフック部材４０と、当該前記下側スリット２７を介して前記シャフト部材２０の下端側に連結されて、旗竿本体５０の外周面に沿って昇降移動可能なプレート部材３０とからなる旗竿５としている。
【００４１】
本実施の形態におけるシャフト部材２０は、円筒形状である他、棒状であっても良く、少なくとも前記旗竿本体５０の内部を上下昇降自在な大きさで形成される。また当該シャフト部材２０の長さは、前記プレート部材３０をホールカップ６の底面に存在させた状態において、前記フック部材４０をゴルフクラブなどで操作できる長さに形成することができる。例えば当該シャフト部材２０の長さは３０ｃｍ〜７０ｃｍ程度に形成することができる。
【００４２】
前記フック部材４０は、前記第１の実施の形態に示したフック部材４０と同様に、ゴルフクラブで操作できる形状であれば制限なく実施できる。本実施の形態に係るフック部材４０は、前記シャフト部材２０の昇降移動を確保できる限りにおいて各種方法・構造で前記シャフト部材２０に一体化すればよい。かかるフック部材４０は、旗竿本体５０の側面に形成された上側スリット２６に沿って昇降移動することから、当該上側スリット２６は、後述のプレート部材３０の移動距離と同じか、それよりも長く形成する。
【００４３】
前記プレート部材３０は、前記第１の実施の形態に示したプレート部材３０と同様に、ホールカップ６内のボールを持ち上げる事のできる形状及び大きさであれば制限なく実施できる。当該プレート部材３０は、前記旗竿本体５０に設けられた下側スリット２７を貫通する軸などによって前記シャフト部材２０に一体化できる。よって旗竿本体５０の下側スリットは、当該プレート部材３０の移動距離と同じか、それよりも長く形成する。
【００４４】
この旗竿５は、旗竿本体５０の上側スリット２６から延出しているフック部材４０を、ゴルフクラブなどで持ち上げると、旗竿本体５０内のシャフト部材２０も上昇する。そしてプレート部材３０も下側スリット２７を介して持ち上げられることから、ホールカップ６内のボールを持ち上げることができる。
【００４５】
よって、上記本実施の形態に係るボール持ち上げ具を使用すれば、ゴルフ施設においてカップインしたボールを取り出す動作を含むゴルフプレー方法であって、ホールカップ６に設けられた旗竿５に装着されたボール持ち上げ具１０、若しくは前記図５に示した旗竿５において、フック部材４０をゴルフクラブで持ち上げ、当該ボール持ち上げ具におけるプレート部材を上昇させることでホールカップ内のボールを取り出すことができるゴルフのプレー方法を実施することができる。
【産業上の利用可能性】
【００４６】
本発明のボール持ち上げ具は、ゴルフ施設におけるホールカップ６の旗竿に設置して利用することができる。よって、ゴルフコースは勿論の事、屋内・屋外のゴルフ練習施設や、パター練習具等においても利用することができる。
【符号の説明】
【００４７】
５：旗竿、６：ホールカップ、７：ヘラール、１０：ボール持ち上げ具、２０：シャフト部材、２１：半円筒体、２２：下側留め具、２３：フランジ部、２５：突出部、２６：上側スリット、２７：下側スリット、３０：プレート部材、３１：プレート部材構成要素、４０：フック部材、４１：リング体、４２：板状張出部、４３：フック本体、４４：ブロック状張出部、４５：フランジ部分、４６：連結部材、５０：旗竿本体
【要約】
【課題】  プレーヤーが手を触れなくともホールカップ内のボールを取り出すことができるボール持ち上げ具を提供する。
【解決手段】  ホールカップ内のボールを持ち上げる為のボール持ち上げ具であって、ホールカップ内に立設されている旗竿の軸方向に移動自在としたシャフト部材と、当該シャフト部材の下方に設けられ、当該シャフト部材の移動によってホールカップ内のボールを持ち上げるプレート部材とからなり、前記シャフト部材には、当該シャフト部材を旗竿の軸方向に持ち上げるフック部材を設けたボール持ち上げ具。
【選択図】図２【図１】
0006906819.tif 000002
【図２】
0006906819.tif 000003
【図３】
0006906819.tif 000004
【図４】
0006906819.tif 000005
【図５】
0006906819.tif 000006